(57)【要約】【課題】真贋判定に使用できる筆記具用インキ組成物であって、簡易な手段で真贋判定が可能であり、必要な場合には極めて信頼性の高い手段でも真贋判定を行うことができ、第三者による個人のＤＮＡ情報の入手が実質的に不可能な筆記具用インキ組成物を提供する【解決手段】少なくとも赤外発光顔料及び合成ＤＮＡを含有することを特徴とする筆記具用インキ組成物。【選択図】      なし【特許請求の範囲】
【請求項１】
少なくとも赤外発光顔料及び合成ＤＮＡを含有することを特徴とする筆記具用インキ組成物。
【請求項２】
油性スタンプ用インキ組成物であって、合成ＤＮＡ以外の原料の総量を１００重量％とした場合に、赤外発光顔料を１５〜２２重量％、ひまし油を５０〜８０重量％、ポリビニルブチラール樹脂を１〜５重量％含有すること特徴とする請求項１記載の筆記具用インキ組成物。
【請求項３】
油性マーキングペン用インキ組成物であって、合成ＤＮＡ以外の原料の総量を１００重量％とした場合に、赤外発光顔料を５〜２０重量％、エタノールを２５〜５０重量％、ジエチレングリコールモノブチルエーテルを２．５〜７．０重量％、イオン交換水を２５〜５０重量％、エコーガムを０．１〜０．５重量％含有することを特徴とする請求項１記載の筆記具用インキ組成物。
【請求項４】
ゲル化剤を含有する水性スタンプ用インキ組成物である請求項１記載の筆記具用インキ組成物。
【請求項５】
ゲル化剤を含有する水性マーキングペン用インキ組成物である請求項１記載の筆記具用インキ組成物。
【請求項６】
ゲル化剤としてエコーガムを含有することを特徴とする請求項４又は５記載の筆記具用インキ組成物。
【請求項７】
油性朱肉用インキ組成物であって、合成ＤＮＡ以外の原料の総量を１００重量％とした場合に、着色顔料を１５重量％、プロピレングリコールを６０〜７７．５重量％、赤外発光顔料を１５〜２２重量％、ひまし油を３０〜６０重量％、ポリビニルブチラール樹脂を０．１〜０．５重量％含有することを特徴とする請求項１記載の筆記具用インキ組成物。
【発明の詳細な説明】
【０００１】
【発明の属する技術分野】
本発明は、油性マーキングペン、水性マーキングペン等の筆記具用インキや、油性スタンプ、水性スタンプ、朱肉等に用いられ、特に、真贋判定に使用可能な筆記具用インキ組成物に関するものである。
【０００２】
【従来の技術】
従来から真贋判定に用いられる種々のインキが知られており、例えば特許文献１，２に開示されているような赤外発光顔料を用いたインキが知られている。
このインキを用いた真贋判定手段は、真正品に特定波長の赤外線の照射により発光する赤外発光顔料を用いたインキを塗布することによってなされ、その商品に特定波長の赤外線を照射することで、その商品が真正品であれば該インキを塗布した部分が発光するが、その商品が偽造品である場合には赤外線を照射しても発光しないのである。また、赤外発光顔料を用いたインキは、特定波長の赤外線を照射したとき以外は目に見えないので、偽造者にその存在を知られることはない。
しかし、赤外発光顔料を用いたインキによる真贋判定は、通常赤外発光顔料の種類が限られており、その信頼性が低いという致命的な問題点があった。
【０００３】
一方、最近になって、ＤＮＡを用いた真贋判定方法が注目されている。例えば特許文献３には、筆記者の血液、毛髪等を直接筆記具用インキに加えることにより作成した筆記者のＤＮＡを含有した筆記具用インキが開示されている。該インキは、それを用いたボールペン等で署名した後に、真偽不明の署名が発見された場合に、その署名に用いられたインキのＤＮＡ解析を行えば、署名の真偽識別が可能となる。
しかし、このような個人の血液等を必要とする筆記具用インキは、大量生産品に使用するには量的問題があるだけでなく、たとえ大量生産品に使用できたとしても、個人のＤＮＡ情報を含んだ商品を不特定多数の者が入手することになるので、プライバシー保護等の観点から極めて不適当なものといわざるをえない。
【０００４】
また、筆記具用インキ以外の分野のＤＮＡを利用した真贋判定手段としては、例えば特許文献４に開示されたものがある。これは個人を特定するＤＮＡの塩基配列情報をデジタル信号化し、そのデジタル信号を基にして新たなＤＮＡを合成することで、第三者がその個人のＤＮＡ情報を入手することを実質不可能にしている。得られた合成ＤＮＡは個人のＤＮＡ情報に基づくものなので、第三者がその個人の細胞等を盗み取らない限り偽造することは困難であり、極めて信頼性の高いものといえる。
しかし、ＤＮＡの解析するには長時間を必要とするとともに、高価で複雑な解析装置を使用するため、時間、経費、手間のかかるものであった。
また、前記合成ＤＮＡ技術を応用した筆記具用インキは、これまでなかった。
【０００５】
【特許文献１】
特開平６−３０６３１５号公報
【特許文献２】
特開平７−３１００７２号公報
【特許文献３】
特開２０００−９５９８９号公報
【特許文献４】
特開２００２−２５３２０３号公報
【０００６】
【発明が解決しようとする課題】
そこで、本発明は、上記問題点を解決すべく、真贋判定に使用できる筆記具用インキ組成物であって、簡易な手段で真贋判定が可能であり、且つ必要な場合には極めて信頼性の高い手段で真贋判定を行うことができ、しかも、第三者による個人のＤＮＡ情報の入手が実質的に不可能である、油性マーキングペン、油性スタンプ、水性マーキングペン等の筆記具用インキや、水性スタンプ、朱肉等に用いられる筆記具用インキ組成物を提供することを目的とする。
【０００７】
【課題を解決するための手段】
上記目的を達成するために、本発明のうち請求項１記載の発明に係る筆記具用インキ組成物は、少なくとも赤外発光顔料及び合成ＤＮＡを含有することを特徴とするものである。本筆記具用インキ組成物は、赤外発光顔料を含有しているので、例えば、該筆記具用インキ組成物を用いたマーキングペンで筆記された書面等、或いは、該筆記具用インキ組成物を用いたスタンプや朱肉を使用して押印された書面、商品等においてその真贋を確認したい場合には、従来からある携帯型赤外線照射装置を用いた簡易な真贋判定が可能となる。また、本筆記具用インキ組成物には、合成ＤＮＡをも含有しているので、上記書面、商品等においてその詳細な真贋判定を行いたい場合でも、含まれる合成ＤＮＡの分析を行うことで、極めて信頼性の高い真贋判定が可能となる。しかも、この合成ＤＮＡは血液等から直接得られるＤＮＡではないので、第三者による個人のＤＮＡ情報の入手が実質的に不可能となり、個人のプライバシー保護の観点からも極めて優れたものとなる。
【０００８】
また、本発明のうち請求項２記載の発明に係る筆記具用インキ組成物は、合成ＤＮＡを含有する油性スタンプ用インキ組成物であって、合成ＤＮＡ以外の原料の総量を１００重量％とした場合に、赤外発光顔料を１５〜２２重量％、ひまし油を５０〜８０重量％、ポリビニルブチラール樹脂を１〜５重量％含有することを特徴とするものである。これにより、該筆記具用インキ組成物は、簡易に且つ場合によっては詳細な真贋判定を行うことが可能な油性スタンプとなる。
【０００９】
また、本発明のうち請求項３記載の発明に係る筆記具用インキ組成物は、合成ＤＮＡを含有する油性マーキングペン用インキ組成物であって、合成ＤＮＡ以外の原料の総量を１００重量％とした場合に、赤外発光顔料を５〜２０重量％、エタノールを２５〜５０重量％、ジエチレングリコールモノブチルエーテルを２．５〜７．０重量％、イオン交換水を２５〜５０重量％、エコーガムを０．１〜０．５重量％含有することを特徴とするものである。主溶剤をエタノール及びイオン交換水の混合溶剤としたことで、紙面のみならず革面にもはじかれることなく筆記できることを可能にした。これにより、該筆記具用インキ組成物は、簡易に且つ場合によっては詳細な真贋判定を行うことが可能な油性マーキングペンとなる。
【００１０】
更に、本発明のうち請求項４記載の発明に係る筆記具用インキ組成物は、合成ＤＮＡ及び赤外発光顔料を含有する水性スタンプ用インキ組成物であって、ゲル化剤をも含有する水性スタンプ用インキ組成物であることを特徴とするものである。これにより、該筆記具用インキ組成物は、簡易に且つ場合によっては詳細な真贋判定を行うことが可能な水性スタンプとなる。
【００１１】
そして、本発明のうち請求項５記載の発明に係る筆記具用インキ組成物は、合成ＤＮＡ及び赤外発光顔料を含有する水性マーキングペン用インキ組成物であって、ゲル化剤をも含有する水性マーキングペン用インキ組成物であることを特徴とするものである。これにより、該筆記具用インキ組成物は、簡易に且つ場合によっては詳細な真贋判定を行うことが可能な水性マーキングペンとなる。
【００１２】
この際、上記水性スタンプ用インキ組成物又は水性マーキングペン用インキ組成物は、ゲル化剤としてエコーガムを含有することができる。
【００１３】
また、本発明のうち請求項７記載の発明に係る筆記具用インキ組成物は、合成ＤＮＡを含有する油性朱肉用インキ組成物であって、合成ＤＮＡ以外の原料の総量を１００重量％とした場合に、着色顔料を１５重量％、プロピレングリコールを６０〜７７．５重量％、赤外発光顔料を１５〜２２重量％、ひまし油を３０〜６０重量％、ポリビニルブチラール樹脂を０．１〜０．５重量％含有することを特徴とするものである。これにより、該筆記具用インキ組成物は、簡易に且つ場合によっては詳細な真贋判定を行うことが可能な油性朱肉用インキとなる。
【００１４】
【発明の実施の形態】
以下、本発明の好ましい実施の態様を詳細に説明する。
本発明に係る筆記具用インキ組成物は、少なくとも赤外発光顔料及び合成ＤＮＡを含有する。
【００１５】
本発明に係る筆記具用インキ組成物に用いられる赤外発光顔料としては、特定波長の赤外線の照射により発光する顔料であれば特に限定されず、従来から知られているものを用いることができる。具体的には、例えば、ＩＲＡ−ＧＩＩ  ４、ＩＲＡ−ＧＩＩ  １６（どちらも根本特殊化学社製）、などがある。
【００１６】
本発明に係る筆記具用インキ組成物に用いられる合成ＤＮＡとは、個人を特定するＤＮＡの塩基配列情報をデジタル信号化し、そのデジタル信号を基にして新たに合成されるＤＮＡであり、具体的には、例えば特許文献４に開示されるような合成ＤＮＡをいう。すなわち、本発明に係る合成ＤＮＡはＤＮＡ塩基配列の中のショート・タンデム・リピート（ＳＴＲ）の繰り返し回数の組み合わせであってもよい。係るＳＴＲの繰り返し回数は個人間で著しく異なることから、このような合成ＤＮＡを含有した本発明の筆記具用インキ組成物を用いて筆記、押印された書面、商品等は、その真偽識別力を高めることができる。更に、該合成ＤＮＡは、ＳＴＲの採取箇所を多重化することにより識別の制精度を一層向上させることができる。
【００１７】
係る合成ＤＮＡの含有量は、筆記・押印が可能なレベルであれば特に限定されるものではないが、分析可能であって且つ製造コストを低減させることを考慮して筆記具用インキ組成物中に約０．００３重量％程度含有されていることが好ましい。
【００１８】
上述した赤外発光顔料及び合成ＤＮＡを含有する本発明の筆記具用インキ組成物は、通常は微粒子状（粉末状）である赤外発光顔料及び合成ＤＮＡを、従来の筆記具用インキ組成物と同様に、溶媒と共に撹拌混合して得られる。なお、本発明の筆記具用インキ組成物は、必ずしも着色されている必要はない。例えば、商品の真偽判定用に用いられる場合には、むしろ無色透明である方が真偽判定用のインキ組成物を使用していることを模倣品製造業者に認識される可能性が低いため、当該業者がこの種インキ組成物を用いずに模倣品を製造することが多くなり、結果として容易に真偽判定をすることが可能となる。
【００１９】
そして、本発明の筆記具用インキ組成物は、必要に応じて、着色剤、防腐剤、水溶性有機溶剤、防錆剤、防黴剤、染料溶解助剤、ｐＨ調整剤、固着樹脂等の添加剤を併用することができる。ただし、着色剤のうち着色顔料を含有する場合は、赤外発光顔料とあわせて大量の顔料がインキ中に含まれることとなるので、それらの顔料を沈降させないように適度に分散させることは大変困難であり、好ましくない。
【００２０】
また、本発明の筆記具用インキ組成物を油性スタンプに用いる場合は、インキの押印面への浸透性を向上させるために浸透補助剤を、また、赤外発光顔料等の沈降防止を目的として沈降防止剤をも含有することが好ましい。
【００２１】
上記浸透補助剤は、筆記具用インキ組成物の溶媒としての役割も有し、例えば、ひまし油、ポリプロピレングリコール、ベンジルアルコール、ｎ−プロパノール、トリエチレングリコールモノブチルエーテル等を挙げることができる。その中でも、インキの押印面への浸透性、油性スタンプ用インキ組成物としての粘度、赤外発光顔料等の沈降性、他の原料との相性等を総合的に考慮すると、ひまし油が特に好ましい。
【００２２】
上記沈降防止剤としては、例えば、アクリル系樹脂、スチレン・アクリル系樹脂、ポリビニルアセタール系樹脂等が挙げられるが、その中でも、赤外発光顔料等の沈降を防止しつつ油性スタンプ用インキ組成物としての好適な粘度が得られるポリビニルブチラール樹脂が特に好ましい。
【００２３】
そして、本筆記具用インキ組成物を油性スタンプ用インキとして調製する場合、合成ＤＮＡ以外の各原料の含有量は、合成ＤＮＡ以外の原料の総量を１００重量％とした場合に、赤外発光顔料が１５〜２２重量％、ひまし油が５０〜８０重量％、ポリビニルブチラール樹脂が１〜５重量％であることが好ましい。赤外発光顔料はその含有量が少なすぎると十分な発光が得られない一方、多すぎると分散性が低下して沈降しやすくなる上に速乾性も低下してしまうので、１５〜２２重量％の範囲が好ましい。また、ひまし油はその含有量が少なすぎるとスタンプ台表面が乾燥し押印不可能になってしまい、逆に含有量が多すぎると印影の速乾性が低下する上に印影が滲んで裏写りしてしまうので、５０〜８０重量％の範囲が好ましい。更に、ポリビニルブチラール樹脂は、その含有量が少なすぎると赤外発光顔料が沈降してしまい、含有量が多すぎると洩糸性を呈する上に速乾性が低下してしまうので、１〜５重量％の範囲が好ましい。
【００２４】
また、本発明の筆記具用インキ組成物を油性マーキングペンに用いる場合は、通常の油性マーキングペン用インキ組成物に添加される有機溶剤に加えて、インキの筆記面への浸透性を向上させるために浸透補助剤を、また、赤外発光顔料等の沈降防止を目的として沈降防止剤をも含有することが好ましい。
【００２５】
上記浸透補助剤としては、例えば、トリエチレングリコールモノブチルエーテル、プロピレングリコールモノメチルエーテル、ジエチレングリコールモノブチルエーテル等を挙げることができる。その中でも、インキの筆記面への浸透性、油性マーキングペン用インキ組成物としての粘度、赤外発光顔料等の沈降性、他の原料との相性等を総合的に考慮すると、特にジエチレングリコールモノブチルエーテルが好ましい。
【００２６】
上記沈降防止剤としては、例えば、アクリル系樹脂、スチレン・アクリル系樹脂、ポリビニルアセタール系樹脂の他、通常はゲル化剤として用いられるエコーガム等が挙げられるが、その中でも、赤外発光顔料等の沈降を防止しつつ、油性マーキングペン用インキ組成物としての好適な粘度が得られるので、特にエコーガムが好ましい。
【００２７】
更に、有機溶媒としては、通常の油性マーキングペン用インキ組成物に用いられるものであれば、特に限定されず、例えば、メタノール、エタノール、トルエン、ｎ−プロパノール、ベンジルアルコール、メチルイソブチルケトン等が挙げられるが、油性マーキングペン用インキ組成物としての粘度、他の原料との相性等を考慮するとメタノールが特に好ましい。
【００２８】
また、上記原料に加えて、油性マーキングペン用インキ組成物としての粘度並びに赤外発光顔料などの沈降性に鑑みて、イオン交換水を添加することがさらに好ましい。
【００２９】
そして、本筆記具用インキ組成物を油性マーキングペン用インキ組成物として調製する場合、合成ＤＮＡ以外の各原料の含有量は、合成ＤＮＡ以外の原料の総量を１００重量％とした場合に、赤外発光顔料が５〜２０重量％、メタノールが２５〜５０重量％、ジエチレングリコールモノブチルエーテルが２．５〜７．０重量％、イオン交換水が２５〜５０重量％、エコーガムが０．１〜０．５重量％であることが好ましい。赤外発光顔料が５重量％未満であると十分な発光が得られず、２０重量％を越えると分散性が低下し沈降しやすくなる上に、速乾性も低下する。メタノールが２５重量％未満であると該インキ組成物の粘度が高くなりすぎてしまうため、インキの排出量が減少し、筆記性に問題が出てくる。また、メタノールが５０重量％を越えると該インキ組成物の粘度が低下しすぎてしまい、赤外発光顔料等が沈降する上にインキの排出量が過剰になり、筆記した場合に裏写りが発生しやすくなる。ジエチレングリコールモノブチルエーテルはその含有量が２．５重量％未満であると、マーキングペンのペン先にあるアクリル性のチップにインキが浸透し難くなって筆記が困難になり、逆に７．０重量％を越えるとインキの粘度が低下してしまい、赤外発光顔料が沈降してしまう上にインキの排出量が過剰となり、筆記した場合に裏写りが発生しやすくなる。更に、イオン交換水が２５重量％未満であると、インキの粘度が高くなりすぎてしまうためインキの排出量が低下し、筆記性に支障を来すこととなる。一方、イオン交換水が５０重量％を越えると粘度が低くなりすぎてしまい、赤外発光顔料が沈降する上に、インキの排出量が過剰に増加し、筆記した場合に裏写りしてしまう。そして、エコーガムが０．１重量％未満であるとインキ中の赤外発光顔料等の分散性が低下してしまうため、該赤外発光顔料等が沈降してしまい、０．５重量％を越えてしまうとインキの粘度が高くなりすぎてしまうので好ましくない。
【００３０】
また、本発明の筆記具用インキ組成物を油性朱肉に用いる場合は、必須成分として、赤外発光顔料、合成ＤＮＡ及び着色剤を含有するが、インキの押印面への浸透性を向上させるために浸透補助剤を、また、赤外発光顔料等の沈降防止を目的として沈降防止剤をも含有することが好ましい。
【００３１】
上記浸透補助剤は、筆記具用インキ組成物の溶媒としての役割も有し、例えば、プロピレングリコール、グリコールエーテル．、ひまし油、エタノール、ｎ−プロパノール、トリエチレングリコールモノブチルエーテル、プロピレングリコールモノエチルエーテル、ジエチレングリコールモノエチルエーテル等を挙げることができるが、その中でも、インキの押印面への浸透性、油性朱肉用インキ組成物としての粘度、陰影の乾燥性、赤外発光顔料等の沈降性、他の原料との相性等を総合的に考慮すると、プロピレングリコールが特に好ましい。
【００３２】
上記沈降防止剤としては、例えば、アクリル系樹脂、ポリビニルアセタール系樹脂等が挙げられるが、その中でも、赤外発光顔料等の沈降を防止しつつ、油性朱肉用インキ組成物としての好適な粘度が得られるので、ポリビニルブチラール樹脂が特に好ましい。
【００３３】
なお、油性朱肉用インキ組成物に含有される着色剤としては、油性朱肉に従来から用いられているものであれば特に限定されない。
【００３４】
更に、油性朱肉用インキ組成物として調製する場合、合成ＤＮＡ以外の各原料の含有量は、合成ＤＮＡ以外の原料の総量を１００重量％とした場合に、赤外発光顔料が１５〜２２重量％、ひまし油が３０〜６０重量％、ポリビニルブチラール樹脂が０．１〜０．５重量％であることが好ましく、更に着色剤が着色顔料である場合は、該着色顔料が１５重量％、赤外発光顔料が１５〜２２重量％、ひまし油が３０〜６０重量％、ポリビニルブチラール樹脂が０．１〜０．５重量％であることが好ましい。この際、着色顔料が少なすぎると鮮明な陰影が得られず、多すぎると赤外発光顔料の発光の妨げとなる。また、赤外発光顔料の含有量が少なすぎると十分な発光が得られず、多すぎると分散性が低下し、沈降しやすくなる上に、速乾性も低下してしまう。また、ひまし油の含有量が少なすぎるとスタンプ台表面が乾燥し、押印不可能になる。逆に、ひまし油の含有量が多すぎると印影の速乾性が低下する上に、印影が滲み裏写りしやすくなる。更に、ポリビニルブチラール樹脂の含有量が少なすぎると赤外発光顔料が沈降してしまい、ポリビニルブチラート樹脂の含有量が多すぎると洩糸性を呈する上に、速乾性が低下してしまう。そして着色顔料が１５重量％未満であると印影そのものが薄すぎてしまい、５０重量％を越えると、赤外発光顔料による発光が弱くなってしまい、且つ速乾性も低下してしまう。
【００３５】
通常、油性朱肉用インキ組成物中に着色剤として着色顔料を含有する場合に顔料の含有量が非常に多くなるので、スタンプ台中で乾燥沈降しやすく調製が困難であるが、本発明の油性朱肉用インキ組成物にあっては、上述のように原料を選択し、且つ原料の含有量を調整することで、真贋判定に用いる油性朱肉用インキ組成物としての機能を十分に果たすことができる上に、インキの乾燥、顔料の沈降をも防ぐことができる。
【００３６】
また、本発明の筆記具用インキ組成物を水性スタンプに用いる場合は、インキの押印面への浸透性及びスタンプ台のウレタンフォームへの含浸性を向上させるために浸透補助剤を含有することが好ましい。
浸透補助剤としては、例えば、ジエチレングリコールモノブチルエーテル、トリエチレングリコールモノブチルエーテル、ポリアルキレングリコール、トリエタノールアミン、フッ素系界面活性剤等を挙げることができるが、その中でも、インキの押印面への浸透性、水性スタンプ用インキ組成物としての粘度、赤外発光顔料等の沈降性、他の原料との相性等を総合的に考慮すると、ジエチレングリコールモノブチルエーテルが特に好ましい。
【００３７】
そして、本発明の水性スタンプ用インキ組成物は、スタンプ台でのインキの乾燥防止、沈降防止すなわち顔料分散を目的として、通常の水性スタンプ用インキ組成物には添加されないゲル化剤をも含有する。
上記ゲル化剤としては、通常の筆記具用水性インキ組成物に用いられるアクリル系樹脂粉末、アクリル系樹脂エマルジョン、アクリル系樹脂コロイダルディスパージョン等を用いることができるが、本発明にかかる水性スタンプ用インキ組成物では、エコーガム又はモナートーガムが好ましく、特にエコーガムが特に好ましい。エコーガムが特に好ましい理由は明らかではないが、本発明のスタンプ用水性インキ組成物中において、赤外発光顔料等との相性がよいためと考えられる。
【００３８】
そして、本筆記具用インキ組成物を水性スタンプ用インキ組成物として調製する場合、合成ＤＮＡを除く各原料は、合成ＤＮＡ以外の原料の総量を１００重量％とした場合に、赤外発光顔料が１３〜１８重量％、ジエチレングリコールモノブチルエーテルが２〜６重量％、エコーガムが０．３〜０．５重量％、イオン交換水が２０〜３０重量％であることが好ましい。
赤外発光顔料の含有量が１３重量％未満であると、当該水性スタンプ用インキ組成物による印影の真偽判定の際、十分な発光を得ることができない。また、赤外発光顔料の含有量が１８重量％を越えると分散性が低下し、沈降しやすくなる上に速乾性も低下する。また、エコーガムの含有量が０．３重量％未満であると顔料の分散性が低下し該顔料は沈降してしまい、０．５重量％を越えると該インキ組成物が増粘してしまい、いわゆる洩糸性を呈するようになる。更に、ジエチレングリコールモノブチルエーテルの含有量が２重量％未満であると浸透性が低下してしまう上に、該インキ組成物が増粘してしまい、エコーガムの含有量が上記数値範囲すなわち０．３〜０．５重量％内にあっても粘度が高すぎるために使用に適さない場合もある。
【００３９】
また、本発明の筆記具用インキ組成物を水性マーキングペンに用いる場合も、インキの筆記面への浸透性及びマーキングペンのペン先にあるウレタン製チップへの含浸性を向上させるために浸透補助剤を含有することが好ましい。
浸透補助剤としては、例えば、ジエチレングリコールモノブチルエーテル、トリエチレングリコールモノブチルエーテル、ポリアルキレングリコール、トリエタノールアミン、フッ素系界面活性剤等を挙げることができるが、その中でも、インキの筆記面への浸透性、インキのウレタン製チップへの含浸性、水性マーキングペン用インキ組成物としての粘度、赤外発光顔料等の沈降性、他の原料との相性等を総合的に考慮すると、ジエチレングリコールモノブチルエーテルが特に好ましい。
【００４０】
そして、本発明の水性マーキングペン用インキ組成物は、インキ収容管中でのインキの乾燥防止、沈降防止すなわち顔料分散を目的として、ゲル化剤をも含有する。
ゲル化剤としては、通常の筆記具用水性インキ組成物に用いられるアクリル系樹脂等を用いることもできるが、本発明に係る水性マーキングペン用インキ組成物では通常の水性マーキングペンには含有されないエコーガムが特に好ましい。エコーガムが特に好ましい理由は明らかではないが、本発明に係るマーキングペン用水性インキ組成物に特有である赤外発光顔料等との相性がよいためと考えられる。
【００４１】
そして、本筆記具用インキ組成物を水性マーキングペン用インキ組成物として調製する場合には、合成ＤＮＡを除く各原料は、合成ＤＮＡ以外の原料の総量を１００重量％とした場合に、赤外発光顔料が１３〜１８重量％、ジエチレングリコールモノブチルエーテルが２〜６重量％、エコーガムが０．２〜０．３重量％、イオン交換水が６５〜７５重量％であることが好ましい。
赤外発光顔料の含有量が１３重量％未満であると該水性マーキングペン用インキ組成物による筆記線の真偽判定の際に十分な発光を得ることができない。また、赤外発光顔料の含有量が１８重量％を越えると、分散性が低下し沈降しやすくなる上に速乾性も低下する。また、エコーガムの含有量が０．２重量％未満であると顔料の分散性が低下し該顔料は沈降してしまい、０．３重量％を越えると当該インキ組成物が増粘してしまい、いわゆる洩糸性を呈するようになる。更に、ジエチレングリコールモノブチルエーテルの含有量が２重量％未満であると浸透性が低下してしまう上に、該インキ組成物が増粘してしまい、エコーガムの含有量が上記数値範囲内にあっても、粘度が高すぎるために使用に適さない場合もある。
【００４２】
以上説明した本発明に係る油性スタンプ／マーキングペン／朱肉用インキ組成物並びに水性スタンプ／マーキングペン用インキ組成物は、例えば、▲１▼紙に押印・筆記して流通する際の真偽判定、▲２▼牛肉の品質保証、▲３▼遺言、▲４▼いわゆるブランド商品へのスタンプ、などに用いることによって、その特徴を十分に発揮することができる。すなわち、本発明の筆記具用インキ組成物を上記用途に使用した場合において、消費者がその商品を手にした際に、その真偽を即座に調査したい時は、市販の携帯型赤外線照射装置によって、該商品に赤外線を照射すれば簡易な真偽判定が可能となる。更に、それでも真偽不明或いはその商品が本物か否かを正確に突き止めたい場合には、該商品自体又は本発明の筆記具用インキ組成物を用いて押印又は筆記されてる部位を合成ＤＮＡの識別システムにより詳細に調査することにより、より信頼性の高い真偽判定結果を得ることができる。
【００４３】
【実施例】
以下、本発明を実施例により更に詳細に説明する。
なお、合成ＤＮＡはいずれの実施例においても、インキ組成物の総量に対して約０．００３重量％添加している。また、表中の値は、合成ＤＮＡを除いた原料の総量を１００重量％として重量１百分率で表している。
更に、評価記号の意味は、次の通り。
○：使用に十分適している、
△：使用にある程度適しているが十分ではない、
×：使用に適していない
【００４４】
そして、以下の表１〜５中に示した商品又は物質は次に列挙するものである。
ＩＲＡ−ＧＩＩ  ４（根本特殊化学社製、赤外発光顔料、商品名）
ＩＲＡ−ＧＩＩ  １６（根本特殊化学社製、赤外発光顔料、商品名）
ＰＶＰ−Ｋ９０（ＢＡＳＦ社製、ポリビニルピロリドン、分散・固着剤、商品名）
ＰＶＰ−Ｋ３０（ＢＡＳＦ社製、ポリビニルピロリドン、分散・固着剤、商品名）
ジョンクリル６７（ジョンソンポリマー社製、水性スチレン・アクリル系ポリマー、顔料分散剤、商品名）
ジョンクリル５３７（ジョンソンポリマー社製、水性スチレン・アクリル系ポリマー、顔料分散剤、商品名）
ジョンクリル７００１（ジョンソンポリマー社製、水性スチレン・アクリル系ポリマー、顔料分散剤、商品名）
ジュリマーＡＣ１０Ｐ（日本純薬社製、アクリル樹脂、顔料分散・剪断減粘性付与剤、商品名）
ジュリマーＡＴ５１０（日本純薬社製、アクリル樹脂、顔料分散・剪断減粘性付与剤、商品名）
レジンＳＫ（クレアノバ社製、ケトン樹脂、固着剤、商品名）
エスレックＢＬ−１（積水化学社製、ポリビニルブチラール樹脂、沈降防止・顔料分散剤、商品名）
エスレックＢＬ−２Ｈ（積水化学社製、ポリビニルブチラール樹脂、沈降防止・顔料分散剤、商品名）
エスレックＢＬ−１０（積水化学社製、ポリビニルブチラール樹脂、沈降防止・顔料分散剤、商品名）
マイティエースＫ１２５（ヤスハラケミカル社製、顔料固着剤、商品名）
ジュンロンＰＷ１１０（日本純薬社製、アクリル樹脂、顔料分散・剪断減粘性付与剤、商品名）
ジュンロンＰＷ１１１（日本純薬社製、アクリル樹脂、顔料分散・剪断減粘性付与剤、商品名）
ブチラール３０００Ｋ（電気化学工業社製、ポリビニルブチラール樹脂、沈降防止・顔料分散剤、商品名）
ブチラール樹脂（和光純薬工業社製、ポリビニルブチラール樹脂、沈降防止・顔料分散剤）
ＦＵＪＩ  ＡＳＬ  ＳＣＡＲＬＥＴ  試作品  ９−１２（冨士色素社製、朱肉用赤色顔料インク、商品名、）
ＦＣ４３０（日信化学工業社製、非イオン性フッ素系界面活性剤、商品名）
デルトップ１００（武田薬品工業社製、防腐剤、商品名）
レオジック２５０Ｈ（日本純薬社製、アクリル樹脂、顔料分散・剪断減粘性付与剤、商品名）
レオジック８３５Ｈ（日本純薬社製、アクリル樹脂、顔料分散・剪断減粘性付与剤、商品名）
ルビマー（ＢＡＳＦ社製、アクリル樹脂、顔料分散・剪断減粘性付与剤、商品名）
ルビマー３０Ｅ（ＢＡＳＦ社製、アクリル樹脂、顔料分散・剪断減粘性付与剤、商品名）
ウルトラホールドストロング（ＢＡＳＦ社製、アクリル樹脂、顔料分散・剪断減粘性付与剤、商品名）
【００４５】
＜実施例１〜１８＞
【表１】
2004323631.tif 000002
【００４６】
上記表１に示した割合で配合した原料をディゾルバーを用いて撹拌混合し、無色透明の油性スタンプ用インキ組成物を得た。そして、これらのインキ組成物をウレタンフォームからなるスタンプ台に含浸させ、その状態における赤外発光顔料等の分散性、粘度が高すぎないか及び印影の滲みについて調べた。その結果を表１の下部に示すが、いずれかの特性を調べて、その評価が悪かった場合はそれ以上の特性の調査を行わなかったため、特性評価の欄にいずれの印も記載されていないものもある。結果として各原料の配合量が上述した好ましい範囲に入っている実施例１のみが全ての特性について良好であった。
【００４７】
＜実施例１９〜３８＞
【表２】
2004323631.tif 000003
【００４８】
上記表２に示した割合で配合した原料をディゾルバーを用いて撹拌混合し、無色透明の油性マーキングペン用インキ組成物を得た。市販されている直液式油性マーキングペン（ペイントマーカー、ゼブラ社製、商品名）と同様に、金属製チューブにインキを充填した後、バルブ組み込み済み先端部を嵌着し、アクリル製チップを組み込み、チューブ内を常圧にして油性マーキングペンを作成した。その状態における赤外発光顔料等の分散性について調べた。その結果を表２の下部に示す。結果として各原料の配合量が上述した好ましい範囲に入っている実施例２０，２４，２９のみが全ての特性について良好であった。
【００４９】
＜実施例３９〜５７＞
【表３】
2004323631.tif 000004
【００５０】
上記表３に示した割合で配合した原料をディゾルバーを用いて撹拌混合し、赤色油性朱肉用インキ組成物を得た。そして、これらのインキ組成物をウレタンフォームからなるスタンプ台に含浸させ、その状態における赤外発光顔料等の分散性、インク組成物自体の洩糸性、印影の速乾性及び発光性、並びにスタンプ台中での乾燥性について調べた。その結果を表３の下部に示すが、いずれかの特性を調べて、その評価が悪かった場合はそれ以上の特性の調査を行わなかったため、特性評価の欄にいずれの印も記載されていないものもある。結果として、各原料の配合量が上述した好ましい範囲に入っている実施例３９のみが全ての特性について良好であった。
【００５１】
＜実施例５８〜７３＞
【表４】
2004323631.tif 000005
【００５２】
上記表４に示した割合で配合した原料をディゾルバーを用いて撹拌混合し、無色透明の水性スタンプ用インキ組成物を得た。そしてこれらのインキ組成物をウレタンフォームからなるスタンプ台に含浸させ、その状態における赤外発光顔料等の分散性及び洩糸性について調べた。その結果を表４の下部に示すが、いずれかの特性を調べて、その評価が悪かった場合はそれ以上の特性の調査を行わなかったため、特性評価の欄にいずれの印も記載されていないものもある。結果として各原料の配合量が上述した好ましい範囲に入っている実施例６３のみが全ての特性について良好であった。
【００５３】
＜実施例７４〜８６＞
【表５】
2004323631.tif 000006
【００５４】
上記表５に示した割合で配合した原料をディゾルバーを用いて撹拌混合し、無色透明の水性マーキングペン用インキ組成物を得た。次に、市販されている通常の直液式水性マーキングペン（蛍光スパーキー１、ゼブラ社製、商品名）と同様に、ポリプロピレン製インキタンクに上記インキ組成物を充填した後、バルブ組込みとともに先口を嵌着し、先口にポリエステル製繊維束ペン先を組込み、インキタンクを常圧にして、水性マーキングペンを作成した。そして、その状態における赤外発光顔料等の分散性、浸透性、及び粘度が高すぎないかについて調べた。その結果を表５の下部に示すが、いずれかの特性を調べて、その評価が悪かった場合はそれ以上の特性の調査を行わなかったため、特性評価の欄にいずれの印も記載されていないものもある。結果として、各原料の配合量が上述した好ましい範囲に入っている実施例８０のみが全ての特性について良好であった。
【００５５】
【発明の効果】
以上、説明したように、本発明の筆記具用インキ組成物は、これをスタンプ台、マーキングペン及び朱肉に用いることで、簡易な手段でもって真贋判定が可能であり、必要な場合には極めて信頼性の高い手段でも真贋判定を行うことができ、第三者による個人のＤＮＡ情報の入手が実質的に不可能である、という効果をもたらす。更に、このような従来にないインキについて、赤外発光顔料等の分散性、筆記線及び印影の速乾性、洩糸性等を改善することで、極めて使い勝手のよいスタンプ台、マーキングペン及び朱肉を提供することができる。